(57)【特許請求の範囲】
【請求項１】
写真処理機校正用の校正プリントを測色する測色計を設け、前記測色計の校正用の校正プレートを設け、所定の箇所に位置させた校正プレートの第１被測色部を前記測色計で測色して、前記測色計を校正可能に構成してある測色計ユニットであって、
前記校正プレートを前記所定の箇所に、表裏反転させて位置させるか、又は所定の向き以外の向きに位置させた誤配置状態で前記測色計により測色される第２被測色部を、前記第１被測色部とは異なる色又は色パターンに設定し、前記測色計による前記第１及び第２被測色部の測色結果に基づいて、前記誤配置状態と、前記所定の箇所に前記校正プレートを正確に配置した正配置状態とを判別する判別部を設け、その判別結果を報知する報知手段を設けてある測色計ユニット。
【請求項２】
前記校正プレートの第１被測色部は、互いに異なった色の複数の第１被測色部部分から構成し、前記第２被測色部は、前記複数の第１被測色部部分とは色の配置パターンの異なった複数の第２被測色部部分から構成してある請求項１記載の測色計ユニット。
【請求項３】
前記所定の箇所は、前記校正プリントを前記測色計で測色する際に前記校正プリントを配置する箇所と同一の箇所である請求項１又は２記載の測色計ユニット。
【請求項４】
互いに異なった色の複数の第１被測色部部分から成る第１被測色部と、前記複数の第１被測色部部分とは色の配置パターンが異なった複数の第２被測色部部分から成る第２被測色部とをプレート面に設け、所定の箇所に所定の向きに正確に配置した正配置状態では、測色計により前記複数の第１被測色部部分が測色され、前記所定の箇所に、表裏反転させて位置させるか、又は所定の向き以外の向きに位置させた誤配置状態では、前記測色計により前記複数の第２被測色部部分が測色されるよう構成してある測色計ユニット用の校正プレート。
【発明の詳細な説明】
【０００１】
【発明の属する技術分野】
本発明は、写真処理機校正用の校正プリントを測色する測色計を設け、前記測色計の校正用の校正プレートを設け、所定の箇所に位置させた校正プレートの第１被測色部を前記測色計で測色して、前記測色計を校正可能に構成してある測色計ユニット及びその校正プレートに関する。
【０００２】
【従来の技術】
各メーカーで販売されている銀塩印画紙の発色特性にはさまざまなものがあり、また、これら印画紙を処理するための現像処理液の状態も変動する。
【０００３】
そのため、変動要因が生じたとき、あるいは、定期的に測色計ユニットで写真プリンタを校正することで、適切な発色のプリントが得られるようにして、写真処理機としての写真プリンタの品質を維持するようにしている。
【０００４】
前記校正の手順の概略は、例えば次の通りである。
【０００５】
校正のために校正用画像を露光した校正プリントを作成する。この校正プリントには、色データの０から２５５（８ビット濃淡値）までに対応する画像が段階的に露光されている。
【０００６】
一方、入力される色データに対応した目標濃度値を示すグラフがあり、この目標濃度値になるようにプリントが作成される必要がある。
【０００７】
それを調べるために、前記校正プリントを測色計で測色し、その測色結果に基づいてプリント部の調整（露光時間や光源の強さ等）を行うことで、目標濃度値が得られるようにしている。
【０００８】
上記の測色計ユニットは、写真プリンタを上記のように校正する場合に用いられるが、測色計の光源の径時変化による光量不足やその他の種々の原因で、測色計が所望の機能を発揮するのが困難になることがある。
【０００９】
そこで、測色計ユニットで写真プリンタを校正する場合は、その校正の前に校正プレートを用いて測色計を校正している。
【００１０】
つまり、校正プレートを所定の箇所に所定の向きに配置した状態で、校正プレートの第１被測色部を測色計で測色し、その測色結果に基づいて光源の強さの調整等を行うことで、所望の機能が発揮されるようにしている。
【００１１】
ところで、前記測色計ユニットの所定の箇所に校正プレートを配置する場合、校正プレートを所定の箇所に誤って表裏反転させて位置させるか、又は誤って所定の向き以外の向きに位置させることがあるが、従来の測色計ユニットは、このような誤配置状態になっていてもオペレータはそれを知ることができない構造になっていた。
【００１２】
【発明が解決しようとする課題】
上記従来の測色計ユニットは、校正プレートが誤配置状態になっていてもオペレータはそれを知ることができない構造になっていたために、誤配置状態のまま誤った測色計の校正をしていた。
【００１３】
このように誤った測色計の校正をすると、適切な発色のプリントを得ることができず、その原因をオペレータが調べることになる。
【００１４】
しかしながら、校正プレートの誤配置状態で測色計を校正したことが原因であることがわかるまでに時間がかかり、たとえそれがわかっても、測色計を校正し直してから写真処理をやり直さなければならず、作業性が低くなりやすかった。
【００１５】
本発明の目的は、測色計ユニットの測色計の校正作業、及び写真処理機の校正作業の作業性を向上させることにある。
【００１６】
【課題を解決するための手段】
請求項１による発明の構成・作用・効果は次の通りである。
【００１７】
［構成］
冒頭に記載した測色計ユニットにおいて、前記校正プレートを前記所定の箇所に、表裏反転させて位置させるか、又は前記所定の向き以外の向きに位置させた誤配置状態で前記測色計により測色される第２被測色部を、前記第１被測色部とは異なる色又は色パターンに設定し、前記測色計による前記第１及び第２被測色部の測色結果に基づいて、前記誤配置状態と、前記所定の箇所に前記校正プレートを正確に配置した正配置状態とを判別する判別部を設け、その判別結果を報知する報知手段を設けてある。
【００１８】
［作用］
校正プレートを所定の箇所に正確に配置した正配置状態では、測色計が校正プレートの第１被測色部を測色する。そして、この測色により測色計を校正することができる。
【００１９】
一方、校正プレートを前記所定の箇所に、表裏反転させて位置させるか、又は所定の向き以外の向きに位置させた誤配置状態では、測色計が校正プレートの第２被測色部を測色する。
前記第２被測色部は、第１被測色部とは異なる色又は色パターンに設定してあるから、測色計による第２被測色部の測色結果と第１被測色部の測色結果とが異なる。
【００２０】
そこで、この測色結果に基づいて、判別部が前記誤配置状態と正配置状態とを判別し、報知手段がその判別結果を報知する。
【００２１】
これにより、校正プレートが誤配置状態になっていた場合、そのことをオペレータが知ることができ、校正プレートを所定の箇所に正確に配置し直すことができる。
【００２２】
［効果］
従って、校正プレートを誤配置状態にしたまま誤った測色計の校正を行うことを回避することができ、従来のように、前記誤配置状態で測色計の校正を行うことに起因する不具合、すなわち、適切な発色のプリントを得ることができず、その原因をオペレータが調べるのに手間がかかるという不具合や、たとえ前記原因がわかっても、測色計を校正し直してから写真処理をやり直さなければならないといった不具合を回避することができ、測色計ユニットの測色計の校正作業、及び写真処理機の校正作業の作業性を向上させることができた。
【００２３】
請求項２による発明の構成・作用・効果は次の通りである。
【００２４】
［構成］
請求項１による発明の構成において、前記校正プレートの第１被測色部は、互いに異なった色の複数の第１被測色部部分から構成し、前記第２被測色部は、前記複数の第１被測色部部分とは色の配置パターンの異なった複数の第２被測色部部分から構成してある。
【００２５】
［作用］
校正プレートを所定の箇所に正確に配置した正配置状態では、測色計が、互いに異なった色の複数の第１被測色部部分を測色する。この測色により測色計を校正することができる。
【００２６】
一方、校正プレートを前記所定の箇所に、表裏反転させて位置させるか、又は所定の向き以外の向きに位置させた誤配置状態では、測色計が、前記複数の第１被測色部部分とは色の配置パターンの異なった複数の第２被測色部部分を測色する。
【００２７】
前記複数の第２被測色部部分は、複数の第１被測色部部分とは色の配置パターンが異なっているから、測色計による第２被測色部部分の測色結果と、第１被測色部部分の測色結果とが異なる。
【００２８】
そこで、この測色結果に基づいて、判別部が前記誤配置状態と正配置状態とを判別し、報知手段がその判別結果を報知する。
【００２９】
これにより、校正プレートが誤配置状態になっていた場合、そのことをオペレータが知ることができ、校正プレートを所定の箇所に正確に配置し直すことができる。
【００３０】
［効果］
従って、校正プレートを誤配置状態にしたまま誤った測色計の校正を行うことを回避することができ、従来のように、前記誤配置状態で測色計の校正を行うことに起因する不具合、すなわち、適切な発色のプリントを得ることができず、その原因をオペレータが調べるのに手間がかかるという不具合や、たとえ前記原因がわかっても、測色計を校正し直してから写真処理をやり直さなければならないといった不具合を回避することができ、測色計ユニットの測色計の校正作業、及び写真処理機の校正作業の作業性を向上させることができた。
【００３１】
請求項３による発明の構成・作用・効果は次の通りである。
【００３２】
［構成］
請求項１に又は２による発明の構成において、前記所定の箇所は、前記校正プリントを前記測色計で測色する際に前記校正プリントを配置する箇所と同一の箇所である。
【００３３】
［作用］
請求項１又は２の構成による作用と同様の作用を奏することができるのに加え、前記所定の箇所は、前記校正プリントを前記測色計で測色する際に前記校正プリントを配置する箇所と同一の箇所であるから、構造が大きくなるのを回避できる。
【００３４】
［効果］
従って、請求項１又は２の構成による効果と同様の効果を奏することができるのに加え、構造をコンパクトにできた。
【００３５】
請求項４による発明の構成・作用・効果は次の通りである。
【００３６】
［構成］
互いに異なった色の複数の第１被測色部部分から成る第１被測色部と、前記複数の第１被測色部部分とは色の配置パターンが異なった複数の第２被測色部部分から成る第２被測色部とをプレート面に設け、所定の箇所に所定の向きに正確に配置した正配置状態では、測色計により前記複数の第１被測色部部分が測色され、前記所定の箇所に、表裏反転させて位置させるか、又は前記所定の向き以外の向きに位置させた誤配置状態では、前記測色計により前記複数の第２被測色部部分が測色されるよう構成してある。
【００３７】
［作用］
請求項４の構成による校正プレートで測色計を校正することで、請求項２の構成による作用と同様の作用を奏することができる。
【００３８】
［効果］
従って、請求項４の構成による校正プレートで測色計を校正することで、請求項２の構成による効果と同様の効果を奏することができるようになる。
【００３９】
【発明の実施の形態】
以下、本発明の実施の形態を図面に基づいて説明する。
【００４０】
図１に写真処理機としての写真プリンタの概略全体構成を示してある。
【００４１】
前記写真プリンタは、スキャナー部Ｐ１と、プリント部Ｐ２と、各部の作動を制御する制御装置１０とを備えており、スキャナー部Ｐ１は、写真フィルムの一例であるネガフィルム１の画像コマをスキャナー６（ＣＣＤエリアセンサー等である）により読み取るための光源２と、ミラートンネル３と、画像コマを位置決めするためのネガマスク４と、読み取り用レンズ５と、スキャナー６と、ネガフィルム搬送用のローラ７と、ネガフィルム１のバーコード（ＤＸコードとコマ番号を表わす) を読み取るためのバーコードセンサー９とを備える。
【００４２】
前記ネガマスク４とローラ７とバーコードセンサー９とは、ネガキャリア２０内に一体的に組み込まれている。
【００４３】
前記プリント部Ｐ２は、所定の搬送経路に沿って搬送される印画紙１１を収納するペーパーマガジン１２と、印画紙１１を搬送する搬送ローラ１３と、搬送ローラ１３を駆動する駆動モータ１４と、印画紙１１の搬送経路に沿った矢印Ａ方向に移動することでデジタル画像を印画紙１１に形成させるデジタル露光ヘッド１５とを備えている。
【００４４】
画像が形成された印画紙１１は、現像処理部２１・乾燥部２２で処理された後、カッター２３により１枚１枚のプリントにカット処理される。カットされたプリントは、以降、所定の循環経路に沿って多数のトレイが循環駆動されているオーダー仕分け機のトレイに１オーダー単位で載せられる。
【００４５】
前記制御装置１０にモニター１６・キーボード１７・記憶部１８を設けてあり、焼き付けられたプリントの発色濃度を測色する測色計２５を制御装置１０に接続してある。後述するように、制御装置１０と測色計２５と校正プレート２４（図２参照）とで測色計ユニット１９を構成している。
【００４６】
前記デジタル露光ヘッド１５はスキャナー６により読み取った画像データを印画紙１１に露光するが、その際にプリントで適切な発色状態になるようにあらかじめ設定しておく必要がある。
【００４７】
入力される色データに対応した目標濃度値を示すグラフ（図示せず）があり、この目標濃度値になるように校正を行なっている。
【００４８】
この校正の手順は次の通りである。
【００４９】
校正用の画像を露光した校正プリントを作成する。この画像は、色データ０から２５５までを段階的に露光したものである。この校正プリントを測色計２５で測色する。
【００５０】
図２，図３に示すように、前記測色計２５は、校正プリントを搬送する搬送機構（図示せず）を内蔵したプレート支持台２９を設け、その搬送経路中の所定の箇所に位置させた校正プリントの被測色部を測色する測色計ヘッド２７を設けて構成し、搬送機構と測色計ヘッド２７とを前記制御装置１０で制御するよう構成してある。
【００５１】
前記校正プリントは、プレート支持台２９の一端側に形成した挿入口Ｓから挿入して搬送機構に搬送させる。
【００５２】
前記測色計ヘッド２７は、校正プリントの被測色部に対する光源と、被測色部からの反射光を受ける受光部とを内蔵した円錐台状の測色部２７Ａを設けて構成し、プレート支持台２９の上面側に設けた凹部に測色部２７Ａを嵌合及び嵌合解除自在に構成してある。
【００５３】
前記プレート支持台２９の凹部に嵌合した状態の測色計ヘッド２７を上方から押さえ込む押圧バー２８を、揺動操作レバー３０を介して押圧状態と押圧解除状態とに切り換え自在にプレート支持台２９に設けてある。
【００５４】
前記測色計２５の構造については後でさらに詳しく説明する。
【００５５】
この測色計２５による測色の結果、目標濃度値になっていないと判断すればデジタル露光ヘッド１５により画像を露光させるために制御装置１０の記憶部１８に記憶されているルックアップテーブルのデータを補正する。このルックアップテーブルは、入力色データに対して変換される出力データ（例えば、露出時間や光源の発光強度）の関係を表したものである。また、カラー画像を形成する場合は、ルックアップテーブルもＲ，Ｇ，Ｂの３つが必要になる。
【００５６】
書き換えられたルックアップテーブルを用いて再度校正プリントを作成し、目標濃度値が得られるまで同様の手順を繰り返す。
【００５７】
前記測色計２５は写真プリンタを上記のように校正する場合に用いられるが、測色計２５の光源の径時変化による光量不足やその他の種々の原因で、測色計２５が所望の機能を発揮するのが困難になることがある。
【００５８】
そこで、測色計２５で写真プリンタを校正する場合は、その校正の前に測色計２５を校正している。
【００５９】
この校正のために測色計２５の校正用の校正プレート２４を設けてある。校正プレート２４はオペレータがプレート支持台２９の一端側の挿入口Ｓに挿入する。
【００６０】
前記校正プレート２４について説明すると、図４（イ）に示すように互いに異なった色（後述のように黒色と白色）の一対の第１被測色部部分２６Ａ，２６Ｂから成る第１被測色部２６を一方のプレート面Ｆ１に設けて、前記所定の箇所に、所定の向きに正確に配置した正配置状態では、一対の第１被測色部部分２６Ａ，２６Ｂが測色計２５の測色部２７Ａによって測色されるよう構成してある。
【００６１】
前記一対の第１被測色部部分２６Ａ，２６Ｂのうち、一方の第１被測色部部分２６Ａは明度が３０以下の黒色であり、他方の第１被測色部部分２６Ｂは明度が８０以上の白色である。測色計２５での測色により、第１被測色部部分２６Ａの明度と他方の第１被測色部部分２６Ｂの明度が上記範囲内に測定されない場合は、光源の経時変化による光量不足によるものか、校正プレート２４の第１被測色部分２６Ａ，２６Ｂの表面が汚れていることによるものか、その他の種々の原因によるものかまったくわからない。非常に稀なケースであるが、この際にはユーザーにその旨を伝える警告や表示を与えている。具体的には、校正プレートの表面が汚れている可能性のあることを表示・点滅させ、ユーザーに注意を呼びかけている。
【００６２】
前記一対の第１被測色部部分２６Ａ，２６Ｂを測色するに、そのうちの一方の第１被測色部部分２６Ａが測色位置（測色部２７Ａの下方位置）に位置するように搬送機構で校正プレート２４を搬送して停止させ、この停止状態で測色部２７Ａにより測色する。
【００６３】
この測色が完了すると、他方の第１被測色部部分２６Ｂが前記測色位置に位置するように搬送機構で校正プレート２４をさらに搬送して停止させ、この停止状態で測色部２７Ａにより測色する。
【００６４】
図４（イ），（ロ）に示すように、前記一対の第１被測色部部分２６Ａ，２６Ｂとは色の配置パターンが異なった６個の第２被測色部部分３１Ａ，３１Ｂ，３１Ｃ，３１Ｄ，３１Ｅ，３１Ｆから成る第２被測色部３１を両プレート面Ｆ１，Ｆ２に分散配設してある。
【００６５】
前記６個の第２被測色部部分３１Ａ，３１Ｂ，３１Ｃ，３１Ｄ，３１Ｅ，３１Ｆのうち、２個の第２被測色部部分３１Ａ，３１Ｂは共に明度が３０以下の黒色で、別の４個の第２被測色部部分３１Ｃ，３１Ｄ，３１Ｅ，３１Ｆは共に明度が８０以上の白色であり、図５（ロ）に示すように、校正プレート２４を前記所定の箇所に、向きは正しいが表裏反転させて位置させた誤配置状態では、前記測色部２７Ａにより他方のプレート面Ｆ２側の一対の第２被測色部部分３１Ａ，３１Ｂが測色され、図５（ニ）に示すように、校正プレート２４を前記所定の箇所に、向きが逆で表裏反転させて位置させた誤配置状態では、別の一対の第２被測色部部分３１Ｃ，３１Ｄが測色される。
【００６６】
そして図５（ハ）に示すように、校正プレート２４を前記所定の箇所に、表裏反転させることなく前記所定の向き以外の向きに位置させた誤配置状態では、前記測色部２７Ａにより前記一方の面Ｆ１側の一対の第２被測色部部分３１Ｅ，３１Ｆが測色される。
【００６７】
上記の構造により、図５（イ）に示すように、校正プレート２４を前記所定の箇所に正確に配置した正配置状態では、測色計２５の測色部２７Ａが、互いに異なった色の複数の第１被測色部部分２６Ａ、２６Ｂを測色する。この測色で測色計２５を校正することができる。
【００６８】
上記のように、校正プレート２４を前記所定の箇所に、表裏反転させて位置させるか、又は所定の向き以外の向きに位置させた誤配置状態では、測色計２５が一対の第２被測色部部分３１Ａ，３１Ｂ（３１Ｃ，３１Ｄ、又は３１Ｅ，３１Ｆ）を測色するが、複数の第２被測色部部分３１Ａ，３１Ｂ，３１Ｃ，３１Ｄ，３１Ｅ，３１Ｆは、一対の第１被測色部部分２６Ａ，２６Ｂとは色の配置パターンが異なっているから、測色計２５による第１測色部２６の測色結果と、第２測色部３１の測色結果とが異なる。
【００６９】
この測色結果に基づいて、前記誤配置状態と正配置状態とを判別する判別部３２を前記制御装置１０に設けてある。また、その判別結果をモニター１６に表示させるよう構成してある。
【００７０】
前記制御装置１０とモニター１６とで前記判別結果を報知する報知手段を構成している。
【００７１】
これにより、校正プレート２４が誤配置状態になっていた場合、そのことをオペレータが知ることができ、校正プレート２４を所定の箇所に正確に配置し直すことができる。
【００７２】
［別実施形態］
例えば、前記報知手段は、前記判別結果をモニター１６に表示させる代わりに、音声やブザー等で報知する手段であってもよく、さらに、前記判別結果をモニター１６に表示させ、かつ、音声やブザー等で報知する手段であってもよい。
【００７３】
上記の実施形態では、前記第１被測色部２６は、互いに異なった色の複数の第１被測色部部分２６Ａ，２６Ｂから構成したが、本発明は、第１被測色部２６が単一色の単一のもの（つまり、上記の実施形態のように複数の第１被測色部部分２６Ａ，２６Ｂがそれぞれ測色されるのではなく、第１被測色部２６がまとめて１回だけ測色されるもの）であってもよい。
【図面の簡単な説明】
【図１】写真プリンタの全体を示す概略図
【図２】測色計ユニットの平面図
【図３】測色計ユニットの縦断側面図
【図４】（イ）校正プレートの表面を示す図
（ロ）校正プレートの裏面を示す図
【図５】（イ）校正プレートを所定の箇所に正確に配置した状態を示す図
（ロ）校正プレートを所定の箇所に表裏反転させて誤配置した状態を示す図
（ハ）校正プレートを所定の箇所に、向きを逆にして誤配置した状態を示す図
（ニ）校正プレートを所定の箇所に、向きを逆に、かつ、表裏反転させて誤配置した状態を示す図
【符号の説明】
２４                校正プレート
２５                測色計
２６                第１測色部
２６Ａ，２６Ｂ      第１測色部部分
３１                第２測色部
３１Ａ，３１Ｂ，３１Ｃ，３１Ｄ，３１Ｅ，３１Ｆ
第２測色部部分
３２                判別部
Ｆ１，Ｆ２          プレート面
【図１】
0003965667.tif 000002
【図２】
0003965667.tif 000003
【図３】
0003965667.tif 000004
【図４】
0003965667.tif 000005
【図５】
0003965667.tif 000006